(57)【要約】【課題】撮影画像に対応する位置情報の取得を効率的に行なうことを可能とし、また、電力消費の低減を実現した撮像装置を提供する。【解決手段】ＧＰＳを有する撮像装置において、ＧＰＳの取得位置情報を撮影画像対応の属性情報として記憶部に格納する。本構成により撮影画像の撮影位置を示す表示情報を生成する際、ＧＰＳログとの対応付け処理が不要となり、属性情報から直接取得でき、効率的な表示情報の生成が実現される。また、撮影頻度を監視して単位時間あたりの使用頻度を算出し、使用頻度が予め定めた閾値未満である場合、ＧＰＳデバイスに対する間欠的な電力供給を実行する構成としたので、ＧＰＳデバイスにおける無駄な電力消費が防止される。【選択図】図１１
2007158887.tif 000002
【特許請求の範囲】
【請求項１】
画像の撮像を実行する撮像部と、
衛星からの受信データに基づく位置算出処理を実行するＧＰＳ（Ｇｒｏｂａｌ  Ｐｏｓｉｔｉｏｎｉｎｇ  Ｓｙｓｔｅｍ）デバイスと、
前記ＧＰＳデバイスに対する電力供給制御を実行する電源制御部と、
ユーザによる撮影状況を監視して単位時間あたりの使用頻度を算出し、算出した使用頻度が予め定めた閾値未満である場合は、前記電源制御部に対して、ＧＰＳデバイスに対する間欠的な電力供給を実行させる制御を行う装置制御部と、
前記ＧＰＳデバイスにおいて取得された位置情報を、前記撮像部における取得画像の属性情報として設定した撮影データ属性情報を生成して記憶部に格納する処理を実行するデータ記録制御部と、
を有することを特徴とする撮像装置。
【請求項２】
前記データ記録制御部は、
撮影データ属性情報として、ＧＰＳデバイスにおいて取得された緯度、経度情報、および時間情報を記憶部に記録する処理を実行する構成であることを特徴とする請求項１に記載の撮像装置。
【請求項３】
前記撮像装置は、さらに、
前記記憶部に格納された撮影データ属性情報を読み取り、該撮影データ属性情報中に含まれる画像データ対応の位置情報に基づいて、地図上に撮影処理実行位置を示した表示情報の生成処理を実行するデータ表示制御部を有することを特徴とする請求項１に記載の撮像装置。
【請求項４】
前記データ表示制御部は、
撮影データ属性情報中に含まれる画像データ対応の撮影時刻情報に基づいて、ユーザの移動軌跡を示した表示情報の生成処理を実行する構成であることを特徴とする請求項３に記載の撮像装置。
【請求項５】
前記データ表示制御部は、
複数の異なる撮影画像データファイルに対応する複数の撮影データ属性情報を読み取り、該複数の撮影データ属性情報をマージして、複数の異なる撮影画像データファイルに含まれる画像の撮影処理実行位置を地図上に表示した表示情報の生成処理を実行するデータ表示制御部を有することを特徴とする請求項３に記載の撮像装置。
【請求項６】
前記装置制御部は、
撮像装置における撮影頻度を算出し、算出した撮影頻度が予め定めた閾値未満である場合は、前記電源制御部に対して、ＧＰＳデバイスに対する間欠的な電力供給を実行させ、算出した撮影頻度が予め定めた閾値以上である場合は、ＧＰＳデバイスに対する継続的な電力供給を実行させる制御を行う構成であることを特徴とする請求項１に記載の情報処理装置。
【請求項７】
撮像装置におけるデータ記録処理方法であり、
画像の撮像を実行する撮像ステップと、
ユーザによる撮影状況を監視して単位時間あたりの使用頻度を算出する使用頻度算出ステップと、
算出使用頻度が予め定めた閾値未満である場合、衛星からの受信データに基づく位置算出処理を実行するＧＰＳ（Ｇｒｏｂａｌ  Ｐｏｓｉｔｉｏｎｉｎｇ  Ｓｙｓｔｅｍ）デバイスに対する間欠的な電力供給を実行する電力供給制御制御ステップと、
前記ＧＰＳデバイスによる測位ステップと、
前記ＧＰＳデバイスにおいて取得された位置情報を、前記撮像部における取得画像の属性情報として設定した撮影データ属性情報を生成して記憶部に格納する処理を実行するデータ記録制御ステップと、
を有することを特徴とするデータ記録処理方法。
【請求項８】
前記データ記録制御ステップは、
撮影データ属性情報として、ＧＰＳデバイスにおいて取得された緯度、経度情報、および時間情報を記憶部に記録する処理を実行することを特徴とする請求項７に記載のデータ記録処理方法。
【請求項９】
情報処理装置における画像データのデータ表示制御方法であり、
記憶部に格納された撮影データ属性情報を読み取り、該撮影データ属性情報中に含まれる画像データ対応の位置情報を取得するステップと、
前記画像データ対応の位置情報に基づいて、該位置情報に対応する位置の地図情報を地図データベースから取得するステップと、
前記地図データベースから取得した地図上に、前記画像データ対応の位置を示す識別情報を設定した表示情報を生成して表示部に出力するステップと、
を有することを特徴とするデータ表示制御方法。
【請求項１０】
前記データ表示制御方法は、さらに、
撮影データ属性情報中に含まれる画像データ対応の撮影時刻情報に基づいて、ユーザの移動軌跡を示した表示情報の生成処理を実行するステップを有することを特徴とする請求項９に記載のデータ表示制御方法。
【請求項１１】
前記データ表示制御方法は、さらに、
複数の異なる撮影画像データファイルに対応する複数の撮影データ属性情報を読み取り、該複数の撮影データ属性情報をマージして、複数の異なる撮影画像データファイルに含まれる画像の撮影処理実行位置を地図上に表示した表示情報の生成処理を実行するステップを有することを特徴とする請求項９に記載のデータ表示制御方法。
【請求項１２】
撮像装置においてデータ記録処理を実行させるコンピュータ・プログラムであり、
画像の撮像を実行する撮像ステップと、
ユーザによる撮影状況を監視して単位時間あたりの使用頻度を算出する使用頻度算出ステップと、
算出使用頻度が予め定めた閾値未満である場合、衛星からの受信データに基づく位置算出処理を実行するＧＰＳ（Ｇｒｏｂａｌ  Ｐｏｓｉｔｉｏｎｉｎｇ  Ｓｙｓｔｅｍ）デバイスに対する間欠的な電力供給を実行する電力供給制御制御ステップと、
前記ＧＰＳデバイスによる測位ステップと、
前記ＧＰＳデバイスにおいて取得された位置情報を、前記撮像部における取得画像の属性情報として設定した撮影データ属性情報を生成して記憶部に格納する処理を実行するデータ記録制御ステップと、
を実行させることを特徴とするコンピュータ・プログラム。
【請求項１３】
情報処理装置における画像データのデータ表示制御処理を実行させるコンピュータ・プログラムであり、
記憶部に格納された撮影データ属性情報を読み取り、該撮影データ属性情報中に含まれる画像データ対応の位置情報を取得するステップと、
前記画像データ対応の位置情報に基づいて、該位置情報に対応する位置の地図情報を地図データベースから取得するステップと、
前記地図データベースから取得した地図上に、前記画像データ対応の位置を示す識別情報を設定した表示情報を生成して表示部に出力するステップと、
を実行させることを特徴とするコンピュータ・プログラム。
【発明の詳細な説明】
【技術分野】
【０００１】
本発明は、撮像装置、およびデータ記録方法、データ表示制御方法、並びにコンピュータ・プログラムに関する。さらに詳細には、カメラにＧＰＳ（Ｇｒｏｂａｌ  Ｐｏｓｉｔｉｏｎｉｎｇ  Ｓｙｓｔｅｍ）を備え、撮影データに対応する位置情報などを取得し、取得情報を利用して様々なデータ処理を実行する撮像装置、およびデータ記録方法、データ表示制御方法、並びにコンピュータ・プログラムに関する。
【背景技術】
【０００２】
近年、ビデオカメラやスチルカメラなどの撮像装置にＧＰＳ（Ｇｒｏｂａｌ  Ｐｏｓｉｔｉｏｎｉｎｇ  Ｓｙｓｔｅｍ）機能を持たせ、位置情報を取得可能とした撮像装置が提案され、利用されている。
【０００３】
このように撮像装置にＧＰＳデバイスを搭載することで、例えば、撮影済みの画像に対応する位置情報を算出して、ユーザ（撮影者）の移動軌跡を算出して、カメラを接続したＰＣなどのディスプレイに提示するなどの処理が可能となる。
【０００４】
位置情報による移動履歴を表現するには、ＧＰＳデバイスで常に現在位置を測位し、取得位置情報等からなるログをメモリに記録し、そのログに基づいて移動軌跡を描画する方法が一般的である。すなわち、定期的に取得するＧＰＳ情報に設定された時間情報としてのタイムスタンプをキーとして撮影コンテンツに対応する撮影日時情報の対応を検証して、撮影データとＧＰＳ位置情報を関係付けて移動軌跡を取得する方法である。
【０００５】
ただし、この方法では、常にＧＰＳデバイスに通電し、継続的に衛星からの情報受信を実行して継続的にログを記録しておくことが必要であり、ＧＰＳデバイスにおける消費電力が大きくなるという難点があり、一般的に電池（バッテリ）で駆動するビデオカメラやスチルカメラなどの携帯機器においては、バッテリ切れを早めることなになり好ましくない。
【０００６】
また、移動軌跡などをユーザに提示するためには、カメラをＰＣに接続し、ＧＰＳデバイスによって取得されたログ情報と、撮影データをＰＣに出力し、ＰＣ上のアプリケーションを利用して、ログ情報と、撮影データに基づいて、軌跡提示処理のためのデータ処理を実行して、ＰＣのディスプレイに提示するという処理を行なうのが一般的である。すなわち、撮影機器本体の液晶画面等で、即時に、また簡便にその移動軌跡を地図等と組み合わせて表示するといった処理を実現しているものはなかった。
【０００７】
これは、ＧＰＳデバイスによって取得される位置情報、時間情報を含むログデータが独立したログデータとしてメモリに記録され、一方、撮影データについても撮影日時情報などの属性情報とともに独自にメモリに別ファイルとして記録されるためである。このような個別の記録データとしてメモリに保持するため、上述した処理、軌跡情報の提示などを行なう場合は、ＧＰＳ情報に設定された時間情報としてのタイムスタンプをキーとして撮影コンテンツに対応する撮影日時情報の対応をサーチする処理や、撮影データとＧＰＳ位置情報を関係付けて移動軌跡を算出する処理を行なうことが必要となる。これらの処理を撮像装置内部で実行することは処理負荷が大きくなりすぎるため、ＰＣなどにデータを出力して処理を行なうという構成が一般的である。
【０００８】
また、ＧＰＳデバイス取得情報と、撮影データ関連情報とが、個別に記録、管理されているシステムでは、ユーザの都合に応じて撮影コンテンツ間の仮想的な移動軌跡を表示する処理、例えば、異なる時期に行った複数回のフランス旅行での撮影コンテンツ間の位置関係を１つの画面に複合させて表示するなどの処理を行なおうとした場合には、複雑な処理を実行しなければならない。
【０００９】
処理手順は、以下のようになる。まず、複数回のフランス旅行の撮影画像を格納した複数の画像データファイルを選択する。次に、これらの異なる時期に生成した撮影データを含む画像データファイル内の画像データと、ＧＰＳ情報ログとの対応付けを実行する。その後、異なる複数の画像データファイルの画像データに対応付けられたＧＰＳ情報を再整理して、表示データを生成する。このように、複数の処理プロセスを含む複雑で負荷の大きい処理となる。結果としてデータ表示までに時間を要し、また撮像装置内で処理を行なうことは困難となり、ＰＣでの処理が必要となるという問題が発生する。
【発明の開示】
【発明が解決しようとする課題】
【００１０】
本発明は、上述の問題点に鑑みてなされたものであり、ＧＰＳモジュールを搭載したビデオカメラやスチルカメラなどの撮像装置において、ユーザの撮像装置の使用状況に応じて、ＧＰＳモジュールに対する電力供給の制御を行なう構成とすることで、消費電力を削減するとともに、ＧＰＳデバイスによって取得された位置情報や時間情報などを、撮影画像データに直接対応付けて記録する構成として、画像データに対応する位置情報を効率的に迅速に取得して、ユーザの移動軌跡情報の提示など、撮影画像と位置情報に基づく様々なデータ処理、情報表示を実現する撮像装置、およびデータ記録方法、データ表示制御方法、並びにコンピュータ・プログラムを提供することを目的とする。
【課題を解決するための手段】
【００１１】
本発明の第１の側面は、
画像の撮像を実行する撮像部と、
衛星からの受信データに基づく位置算出処理を実行するＧＰＳ（Ｇｒｏｂａｌ  Ｐｏｓｉｔｉｏｎｉｎｇ  Ｓｙｓｔｅｍ）デバイスと、
前記ＧＰＳデバイスに対する電力供給制御を実行する電源制御部と、
ユーザによる撮影状況を監視して単位時間あたりの使用頻度を算出し、算出した使用頻度が予め定めた閾値未満である場合は、前記電源制御部に対して、ＧＰＳデバイスに対する間欠的な電力供給を実行させる制御を行う装置制御部と、
前記ＧＰＳデバイスにおいて取得された位置情報を、前記撮像部における取得画像の属性情報として設定した撮影データ属性情報を生成して記憶部に格納する処理を実行するデータ記録制御部と、
を有することを特徴とする撮像装置にある。
【００１２】
さらに、本発明の撮像装置の一実施態様において、前記データ記録制御部は、撮影データ属性情報として、ＧＰＳデバイスにおいて取得された緯度、経度情報、および時間情報を記憶部に記録する処理を実行する構成であることを特徴とする。
【００１３】
さらに、本発明の撮像装置の一実施態様において、前記撮像装置は、さらに、前記記憶部に格納された撮影データ属性情報を読み取り、該撮影データ属性情報中に含まれる画像データ対応の位置情報に基づいて、地図上に撮影処理実行位置を示した表示情報の生成処理を実行するデータ表示制御部を有することを特徴とする。
【００１４】
さらに、本発明の撮像装置の一実施態様において、前記データ表示制御部は、撮影データ属性情報中に含まれる画像データ対応の撮影時刻情報に基づいて、ユーザの移動軌跡を示した表示情報の生成処理を実行する構成であることを特徴とする。
【００１５】
さらに、本発明の撮像装置の一実施態様において、前記データ表示制御部は、複数の異なる撮影画像データファイルに対応する複数の撮影データ属性情報を読み取り、該複数の撮影データ属性情報をマージして、複数の異なる撮影画像データファイルに含まれる画像の撮影処理実行位置を地図上に表示した表示情報の生成処理を実行するデータ表示制御部を有することを特徴とする。
【００１６】
さらに、本発明の撮像装置の一実施態様において、前記装置制御部は、撮像装置における撮影頻度を算出し、算出した撮影頻度が予め定めた閾値未満である場合は、前記電源制御部に対して、ＧＰＳデバイスに対する間欠的な電力供給を実行させ、算出した撮影頻度が予め定めた閾値以上である場合は、ＧＰＳデバイスに対する継続的な電力供給を実行させる制御を行う構成であることを特徴とする。
【００１７】
さらに、本発明の第２の側面は、
撮像装置におけるデータ記録処理方法であり、
画像の撮像を実行する撮像ステップと、
ユーザによる撮影状況を監視して単位時間あたりの使用頻度を算出する使用頻度算出ステップと、
算出使用頻度が予め定めた閾値未満である場合、衛星からの受信データに基づく位置算出処理を実行するＧＰＳ（Ｇｒｏｂａｌ  Ｐｏｓｉｔｉｏｎｉｎｇ  Ｓｙｓｔｅｍ）デバイスに対する間欠的な電力供給を実行する電力供給制御制御ステップと、
前記ＧＰＳデバイスによる測位ステップと、
前記ＧＰＳデバイスにおいて取得された位置情報を、前記撮像部における取得画像の属性情報として設定した撮影データ属性情報を生成して記憶部に格納する処理を実行するデータ記録制御ステップと、
を有することを特徴とするデータ記録処理方法にある。
【００１８】
さらに、本発明のデータ記録処理方法の一実施態様において、前記データ記録制御ステップは、撮影データ属性情報として、ＧＰＳデバイスにおいて取得された緯度、経度情報、および時間情報を記憶部に記録する処理を実行することを特徴とする。
【００１９】
さらに、本発明の第３の側面は、
情報処理装置における画像データのデータ表示制御方法であり、
記憶部に格納された撮影データ属性情報を読み取り、該撮影データ属性情報中に含まれる画像データ対応の位置情報を取得するステップと、
前記画像データ対応の位置情報に基づいて、該位置情報に対応する位置の地図情報を地図データベースから取得するステップと、
前記地図データベースから取得した地図上に、前記画像データ対応の位置を示す識別情報を設定した表示情報を生成して表示部に出力するステップと、
を有することを特徴とするデータ表示制御方法にある。
【００２０】
さらに、本発明のデータ表示制御方法の一実施態様において、前記データ表示制御方法は、さらに、撮影データ属性情報中に含まれる画像データ対応の撮影時刻情報に基づいて、ユーザの移動軌跡を示した表示情報の生成処理を実行するステップを有することを特徴とする。
【００２１】
さらに、本発明のデータ表示制御方法の一実施態様において、前記データ表示制御方法は、さらに、複数の異なる撮影画像データファイルに対応する複数の撮影データ属性情報を読み取り、該複数の撮影データ属性情報をマージして、複数の異なる撮影画像データファイルに含まれる画像の撮影処理実行位置を地図上に表示した表示情報の生成処理を実行するステップを有することを特徴とする。
【００２２】
さらに、本発明の第４の側面は、
撮像装置においてデータ記録処理を実行させるコンピュータ・プログラムであり、
画像の撮像を実行する撮像ステップと、
ユーザによる撮影状況を監視して単位時間あたりの使用頻度を算出する使用頻度算出ステップと、
算出使用頻度が予め定めた閾値未満である場合、衛星からの受信データに基づく位置算出処理を実行するＧＰＳ（Ｇｒｏｂａｌ  Ｐｏｓｉｔｉｏｎｉｎｇ  Ｓｙｓｔｅｍ）デバイスに対する間欠的な電力供給を実行する電力供給制御制御ステップと、
前記ＧＰＳデバイスによる測位ステップと、
前記ＧＰＳデバイスにおいて取得された位置情報を、前記撮像部における取得画像の属性情報として設定した撮影データ属性情報を生成して記憶部に格納する処理を実行するデータ記録制御ステップと、
を実行させることを特徴とするコンピュータ・プログラムにある。
【００２３】
さらに、本発明の第５の側面は、
情報処理装置における画像データのデータ表示制御処理を実行させるコンピュータ・プログラムであり、
記憶部に格納された撮影データ属性情報を読み取り、該撮影データ属性情報中に含まれる画像データ対応の位置情報を取得するステップと、
前記画像データ対応の位置情報に基づいて、該位置情報に対応する位置の地図情報を地図データベースから取得するステップと、
前記地図データベースから取得した地図上に、前記画像データ対応の位置を示す識別情報を設定した表示情報を生成して表示部に出力するステップと、
を実行させることを特徴とするコンピュータ・プログラムにある。
【００２４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２６】
本発明の一実施例構成によれば、ＧＰＳ（Ｇｒｏｂａｌ  Ｐｏｓｉｔｉｏｎｉｎｇ  Ｓｙｓｔｅｍ）デバイスを有する例えばビデオカメラなどの撮像装置において、ＧＰＳデバイスにおいて取得された位置情報を、撮像部において撮影された画像データに対応する属性情報として設定して記憶部に格納する処理を実行する構成としたので、撮影画像データの撮影位置情報を示す表示情報を生成する際に、ＧＰＳログとの対応付け処理を実行する必要がなくなり、画像データに対応する属性情報から直接取得することが可能となり、負荷の軽い効率的な表示情報生成処理が可能となる。
【００２７】
さらに、本発明の一実施例構成によれば、撮影頻度を監視して単位時間あたりの使用頻度を算出し、使用頻度が予め定めた閾値未満である場合、ＧＰＳデバイスに対する間欠的な電力供給を実行する構成としたので、ＧＰＳデバイスにおける無駄な電力消費が防止され、バッテリの消費が抑えられる。また、ＧＰＳデバイスの間欠的な駆動によって、ＧＰＳ衛星からの受信データである航法メッセージを有効期限内の航法メッセージに維持することが可能となり、新たなＧＰＳ衛星探索を行うことなく航法メッセージを利用した短時間での位置算出が可能となる。
【発明を実施するための最良の形態】
【００２８】
以下、図面を参照しながら、本発明の撮像装置、およびデータ記録方法、データ表示制御方法、並びにコンピュータ・プログラムの詳細について説明する。
【００２９】
まず、図１を参照して、本発明の撮像装置の実行する処理の概要について説明する。図１には、本発明の撮像装置として、主として動画撮影を行なうビデオカメラ１１０、静止画撮影を行なうスチルカメラ１２０を示している。これらの撮像装置は、機器にＧＰＳモジュール１１１，１２１を備えている。
【００３０】
ＧＰＳモジュール１１１，１２１は、ＧＰＳ電波を受信するアンテナ部、受信した電波の信号変換部、位置情報の計算部、計算結果の一時記憶部、撮像装置本体側のメイン制御部（ＣＰＵ）との通信を実行する通信部を有する例えばパッケージ化されたモジュールによって構成される。
【００３１】
各撮像装置のＧＰＳモジュール１１１，１２１は、宇宙空間に位置しＧＰＳ位置情報を送信するＧＰＳ衛星１３０ａ，１３０ｂ，１３０ｃ・・からの電波を受信し、地球上における現在の緯度経度座標、および受信時刻を取得する。この受信原理については一般のＧＰＳ受信方式と同等である。
【００３２】
宇宙空間に位置する複数のＧＰＳ衛星の各々からは、宇宙空間のＧＰＳ衛星の位置を表す位置情報および時間情報を含む航法メッセージが送信されている。ＧＰＳモジュール１１１，１２１は、この航法メッセージから位置情報を割り出す。宇宙空間のＧＰＳ衛星の送信する航法メッセージには、衛星の位置情報としての天体暦データ（アルマナック（軌道暦）およびエフェメリス（衛星暦））および信号送信時刻情報が含まれる。
【００３３】
ＧＰＳモジュール１１１，１２１は、位置情報としてＧＰＳモジュール１１１，１２１の３次元的な位置（ｘ、ｙ、ｚ）を求める。次元的な位置を求めるためには、少なくとも３個のＧＰＳ衛星の捕捉処理が必要である。すなわち、位置が確認された少なくとも３個のＧＰＳ衛星から航法メッセージを受信することが必要となる。そして、これら少なくとも３個のＧＰＳ衛星からの受信情報（航法メッセージ）を用いて、ＧＰＳモジュール１１１，１２１位置を、三角測量法を適用して決定する。
【００３４】
三角測量法を用いてＧＰＳ受信機の現在の位置を決定するステップは、
［ステップ１］ＧＰＳ衛星捕捉処理
ＧＰＳモジュール１１１，１２１において航法メッセージを受信可能な少なくとも３個のＧＰＳ衛星からのデータ受信を行い各ＧＰＳ衛星の位置を確認する。
［ステップ２］ＧＰＳモジュール位置決定処理
ＧＰＳモジュール１１１，１２１から各ＧＰＳ衛星までの距離を算出し、地球の中心に対するＧＰＳモジュールの位置を、三角測量法に基づいて算出する。
【００３５】
上述したステップ中、ステップ２の処理は、ＧＰＳモジュール内の演算処理によって実行可能である。一方、ステップ１の処理、すなわち、航法メッセージを受信可能な少なくとも３個のＧＰＳ衛星からのデータを受信して各ＧＰＳ衛星の位置を確認する処理は、予め、おおよそのＧＰＳ衛星の位置情報を取得し、これを適用することが処理時間の短縮のために有効である。
【００３６】
前述したように、ＧＰＳ衛星の送信する航法メッセージには、衛星の位置情報としての天体暦データ（アルマナックおよびエフェメリス）が含まれており、ＧＰＳモジュールが継続的あるいは間欠的にデータ受信を行なっている場合、過去に受信済みのデータを利用することで衛星の現在位置を推測することができる。過去に受信済みのデータが利用できれば短時間でＧＰＳ衛星の捕捉、すなわちＧＰＳ衛星からのデータ受信を効率的に行なうことが可能となる。すなわち、上述のステップ１のＧＰＳ衛星捕捉処理を迅速に行なうことが可能となる。
【００３７】
しかし、航法メッセージには有効期限として設定される賞味期限（アルマナックデータは３ヶ月、エフェメリスデータは２時間）がある。有効期限内のデータを保持している場合は、過去に受信済みのデータを利用することで衛星の現在位置を推測可能となり、効率的に短時間に上記ステップ１〜３の処理を実行でき、ＧＰＳモジュール１１１，１２１の位置算出を迅速に行なうことが可能となるが、有効期限内のデータを保持していない場合は、取得済みデータを適用した効率的なＧＰＳ位置推測が不可能となり、ゼロからのＧＰＳ衛星位置探索を行うことが必要となる。このような位置探索を行なうと、ステップ１の処理時間を短縮することができず、結果として、ＧＰＳモジュール１１１，１２１を適用した位置算出に時間を要することになる。
【００３８】
ＧＰＳモジュール１１１，１２１を、常時、動作させて継続的に航法メッセージを受信すれば、常に有効期限内の航法メッセージを保持することができ、効率的なＧＰＳ衛星の捕捉が可能となる。しかし、このためには、ＧＰＳモジュールに継続的に電力を供給して、ＧＰＳモジュールを駆動させておかなければならない。一方、撮像装置１１０，１２０に設けられたＧＰＳモジュール１１１，１２１は、その動作電力を撮像装置１１０，１２０の電池（バッテリ）から供給されており、電池の消耗は、できるだけ抑えることが要請される。
【００３９】
本発明の撮像装置１１０，１２０は、このような要請に対応するものであり、ユーザの撮像装置１１０，１２０の使用状況に応じて、ＧＰＳモジュール１１１，１２１に対する電力供給の制御を行なう構成とすることで、消費電力を削減するとともに、ユーザの利用状況に応じてＧＰＳモジュールからの位置情報取得処理を迅速化することを可能とする。
【００４０】
次に、図２〜図４を参照して、本発明の撮像装置において実行するデータ処理例を説明する。まず、図２を参照して画像撮影時の処理例について説明する。図に示すように、撮像装置２００は、モードとして動画あるいは静止画の撮影を実行する撮影モードと、撮影されたデータの再生を実行する再生モードとを有する。
【００４１】
撮影モードにおいては、図２に示すように、撮像装置本体における撮像処理により画像データ２０１が取得され、さらに、ＧＰＳモジュールによってＧＰＳモジュールの位置情報（緯度，経度）２０２が取得される。撮像装置内のデータ記録制御部２１１はこれらの情報を対応付けて撮影コンテンツ記憶部２１２に格納する。すなわち、各画像データに対応する属性データとして、ＧＰＳモジュールの取得した位置情報（緯度，経度）２０２が設定されて撮影コンテンツ記憶部２１２に格納される。
【００４２】
次に、図３を参照して、撮影されたデータの再生を実行する再生モードにおける処理例について説明する。図３には、再生モードにおいて撮像装置のモニタに表示される４つの表示データ例（ａ）〜（ｄ）を示している。これらの表示データ（ａ）〜（ｄ）は、撮像装置内のデータ表示制御部２２１の制御によって生成される。データ表示制御部２２１は、撮影コンテンツ記憶部２１２内のデータ、すなわち画像データおよび画像データの属性データとして記録された位置情報と、さらに、緯度経度情報に対応付けられたデータとしての地図、住所、撮影スポット情報などのデータを含む地図情報データベース２２２の情報、さらにＧＰＳモジュール２２３から入力する位置情報を取得して表示データを生成する。
【００４３】
例えば表示データ（ａ）は、地図情報をモニタに表示して、現在の位置情報をユーザに提示する表示例である。この表示は、ＧＰＳモジュール２２３から現在の位置情報を入力して、入力位置情報に従って地図上に現在位置を明示する情報を表示したものである。これは一般的なナビゲーション情報の表示例に相当する。
【００４４】
表示データ（ｂ）は、撮影コンテンツ記憶部２１２に格納された撮影済み画像データを表示するとともに、属性データとして画像データに対応付けて記録された位置情報に基づいて、地図情報データベース２２２から取得した地図データや、スポット情報に基づいて、撮影場所を文字表示した例である。
【００４５】
表示データ（ｃ）は、撮影コンテンツ記憶部２１２に格納された撮影済み画像データを撮影シーケンス順に並べ、地図上での撮影位置の遷移を示す表示を行なった表示例である。撮影データは、地図上にサムネイル画像として表示される。
【００４６】
表示データ（ｄ）は、撮影データと地図データとを併せて表示した例であり、撮影データの属性データとして記録された位置情報に基づいて、その位置情報に対応する
領域の地図をモニタの一部に表示した例である。
【００４７】
さらに、撮影モードにおいては、図４に示すように、撮影データに対応する属性データとしての位置情報に基づいて、撮影コンテンツを撮影場所に対応するフォルダにまとめて格納する処理が可能である。例えば、撮影画像に対応する属性情報として取得される緯度経度情報に基づいて、データ記録制御部２１１が、ある一定の緯度経度範囲にあるデータを１つのフォルダ、例えば［フランス２００６夏］というタイトルを設定したフォルダに格納するといった処理によって、特定の領域に対応する撮影データを１つのファイルに集めて格納することができる。なお、撮影データには属性情報として撮影日時データも付与されており、この時間情報に基づく分類も可能である。
【００４８】
撮像装置において実行可能なデータ処理例について説明したが、この他にも様々な処理が可能である。たとえば、撮影モード時でもＧＰＳモジュールからの位置情報に基づいてユーザ撮影を補助することが可能である。例えば、現在撮影中の場所でＧＰＳ電波が受信可能かどうかをモニタ上に表示することや、カーナビゲーションのように現在位置を画面地図上で図示する処理や、あるいは撮影画面中に現在位置の地名情報を表示するなどの処理を行なうことが可能である。これらは、撮影時において、図３を参照して説明したデータ表示制御部２２１の処理を実行させることで実現可能である。
【００４９】
次に、図５を参照して、本発明の撮像装置の構成について説明する。図５には、ＧＰＳモジュールを有する撮像装置の構成部を、撮像装置本体３１０、電源制御部３２０、ＧＰＳモジュール３３０、電源（バッテリ）３５０に分けて示している。
【００５０】
撮像装置本体３１０は、ビデオカメラあるいはスチルカメラとしての機能を有し、撮像処理、さらに撮影データの再生や、撮影データに基づく様々な表示情報の生成、出力などの表示データ生成処理機能を持ち、メイン制御部（ホストＣＰＵ）３１１、撮影データ等を記録するデータ記憶部（フラッシュメモリ）３１２、一次的なデータ記憶を行なうメモリ（ＳＤＲＡＭ）３１４、表示部（モニタ）３１３を有する。
【００５１】
電源制御部３２０は、例えばフロントパネルシステムによって構成され、フロントバネル制御部３２１、電源スイッチなどの各種スイッチからなる入力部３２２、撮影情報の表示などを行なう出力部３２３を有する。ＧＰＳモジュール３３０は、ＧＰＳデバイス３４０と、電源電圧コンバータ３３１を有する。ＧＰＳデバイス３４０は、電源電圧コンバータ３３１を介して所定電圧に変換された電力を入力して駆動する。ＧＰＳデバイス３４０は、衛星捕捉、航法メッセージ取得処理を実行し、航法データ記録、位置算出処理等を実行するデータ処理部３４１、取得した航法データや算出した位置データを記憶するメモリ（ＳＲＡＭ）３４２を有する。
【００５２】
電源（バッテリ）３５０は、撮像装置本体３１０、電源制御部３２０、ＧＰＳモジュール３３０にそれぞれ電力を供給する。ただし、後述するように、ＧＰＳモジュール３３０に対する電力供給は、ユーザの撮像処理の実行状態に応じて制御される。なお、撮像装置本体３１０のメモリ（ＳＤＲＡＭ）３１４、およびＧＰＳデバイス３４０のメモリ（ＳＲＡＭ）３４２に対しては、セルフリフレッシュ処理用の電力が供給される。
【００５３】
ＧＰＳデバイス３４０の駆動用電力の供給制御について説明する。ＧＰＳデバイス３４０の駆動用電力は、電源電圧コンバータ３３１を介してＧＰＳデバイス３４０に入力される。この駆動用電力は、撮像装置本体３１０のメイン制御部（ホストＣＰＵ）３１１において計測されるユーザによる撮影の実行状況に基づいて制御される。
【００５４】
撮像装置本体３１０のメイン制御部（ホストＣＰＵ）３１１は、ユーザの撮影頻度を計測し、予め定めた閾値以上の高い頻度での撮影が実行されていると判定された場合は、ＧＰＳデバイス３４０に対する継続的な電力供給を実行するように、フロントパネル制御部３２１に制御命令（コマンド）を出力し、フロントパネル制御部３２１は、ＧＰＳモジュール３３０の電源電圧コンバータ３３１を制御して、ＧＰＳデバイス３４０に対して継続的に電力供給を実行する。この継続的な電力供給期間は、ＧＰＳデバイス３４０において継続的な航法メッセージの受信、および位置算出処理が実行される。
【００５５】
一方、撮像装置本体３１０のメイン制御部（ホストＣＰＵ）３１１において、ユーザの撮影頻度が予め定めた閾値未満の低い頻度での撮影が実行されていると判定した場合は、ＧＰＳデバイス３４０に対する継続的な電力供給を停止し、間欠的な電力供給を実行するように、フロントパネル制御部３２１に制御命令（コマンド）を出力する。フロントパネル制御部３２１は、ＧＰＳモジュール３３０の電源電圧コンバータ３３１を制御して、ＧＰＳデバイス３４０に対して間欠的に電力供給を実行する。この間欠的な電力供給期間は、ＧＰＳデバイス３４０において間欠的な航法メッセージの受信、および位置算出処理が実行される。
【００５６】
すなわち、ＧＰＳデバイス３４０は、撮像装置本体の電源ＯＮ／ＯＦＦ状態によらず、自立的に間欠的な測位動作を行う。電源制御部（フロントパネルシステム）３２０からのＧＰＳデバイス３４０の電源ＯＮ指示が行われると電源電圧コンバータ３３１からＧＰＳデバイスに電力が供給され、ＧＰＳデバイス３４０は測位動作を開始する。
【００５７】
図５に示す構成図を参照して基本的な処理の流れについて説明する。まず、撮像装置本体３１０は、電源制御部（フロントパネルシステム）３２０の入力部３２２のユーザ操作により電源ＯＮされると、電源制御部（フロントパネルシステム）３２２からの指令でＧＰＳモジュール３３０内のＧＰＳデバイス３４０も電源ＯＮ、すなわち電力が供給される。
【００５８】
ＧＰＳデバイス３４０は、電力の供給が開始されると、まず、撮像装置本体３１０のデータ記憶部３１２からＧＰＳ衛星捕捉に必要な航法データのバックアップデータをロードし、ＧＰＳ捕捉に利用する。すなわち、過去にＧＰＳデバイス３４０によって取得された航法データ、すなわち、アルマナックおよびエフェメリスデータは、撮像装置本体３１０の不揮発性メモリとしてのデータ記憶部３１２に格納され、これらのデータを取得して、ＧＰＳ衛星の捕捉を行なう。
【００５９】
ただし、前述したように航法データは各々データ有効期間が設定されており、この有効期限が切れていた場合にはＧＰＳデバイス３４０は、これらの取得済み航法メッセージを適用することができないため、ランダムにＧＰＳ衛星捕捉を行なうことが必要となる。
【００６０】
ＧＰＳデバイス３４０によって、位置情報算出に必要なＧＰＳ衛星捕捉に成功すると、ＧＰＳデバイス３４０の取得した最新の航法データ、および算出した位置情報が撮像装置本体３１０に入力され、撮像装置本体３１０の制御部３１１は、電源制御部（フロントパネルシステム）３２０に対してＧＰＳモジュール３３１を間欠駆動状態移行させるようにコマンドを出力する。その後、ＧＰＳモジュール３３１は、電源制御部（フロントパネルシステム）３２０からの指示で間欠駆動状態へと移行する。この後は、ＧＰＳデバイス３４０は、撮像装置本体３１０の電源ＯＮ／ＯＦＦ状態の状態遷移とは自立して間欠的な測位動作を継続していく。
【００６１】
この際に、ＧＰＳデバイス３４０のデータ処理部３４１において新規に取得された航法メッセージに基づく測位情報としての最新の位置情報はＧＰＳデバイス３４０内のメモリ（ＳＲＡＭ）３４２に記憶される。撮像装置本体３１０が、次回、電源ＯＮされた場合、撮像装置本体３１０上で動作するＧＰＳ制御アプリケーションによって、ＧＰＳデバイス３４０内のメモリ（ＳＲＡＭ）３４２に記憶された位置情報が読み出される。
【００６２】
なお、このデータ読み出し時において、制御部３１１は、取得した位置情報および航法メッセージが撮像装置本体３１０の不揮発メモリであるデータ記憶部３１２に保管されたデータより新しいか否かを判定し、新しい場合には、その新しい取得データをデータ記憶部３１２に記憶し、データ更新を実行する。
【００６３】
次に、本発明の撮像装置において実行される様々なデータ処理の制御構成について、図６を参照して説明する。図６は本発明の撮像装置における主要なデータ処理制御を実行する制御モジュールを示している。図６には、制御モジュールとして、撮影処理制御部４０１、ＧＰＳ制御処理部４０２、データ記録制御部４０３、データ表示制御部４０４を示している。これらの制御は、基本的に図５に示す撮影装置本体のメイン制御部３１１の実行する制御であるが、説明のために各制御をカテゴリ別に示している。メイン制御部３１１によって各制御を実行するプログラムが読み出されて実行されることで、様々なハードウェアの制御がなされ各処理が実行される。
【００６４】
撮影処理制御部４０１は、一般的なカメラと同様の撮影処理を実行する。撮影処理画像データは、データ記録制御部４０３を介して撮影コンテンツ記憶部２１２に記録される。データ記録制御部４０３は、さらに、ＧＰＳ制御処理部４０２における制御の下でＧＰＳモジュール４１２が取得した位置情報、時間情報（タイムスタンプ）を入力し、これらのＧＰＳモジュール取得情報を、撮影画像データに対応する属性情報として設定し、撮影コンテンツ記憶部２１２に記録する。
【００６５】
ＧＰＳ制御処理部４０２は、電源制御部４１１を介してＧＰＳモジュール４１２に対する電力供給制御を実行し、ＧＰＳモジュール４１２において取得される位置情報をデータ記録制御部４０３に提供する。
【００６６】
データ表示制御部４０４は、撮影コンテンツ記憶部２１２に記録された撮影画像データおよび画像データに対応する属性情報を取得し、さらに、緯度経度情報に対応付けられたデータとしての地図、住所、撮影スポット情報などのデータを含む地図情報データベース２２２からの情報を取得して、ディスプレイ４２３に提示する表示情報を生成する。例えば、ユーザの旅行において撮影した複数の画像のサムネイルを地図上に示す軌跡情報に重畳させて提示するなどの処理を行なう。
【００６７】
例えば、ユーザ要求に応じ、撮影コンテンツ記憶部２１２に記録された撮影コンテンツを呼び出し、地図情報データベース２２２に保持された地図情報、地名情報と組み合わせて表示する処理や、位置情報をキーにして、撮影コンテンツ記憶部２１２に記録された撮影コンテンツを自動分類し、その結果をディスプレイ４２３に表示する処理などを実行する。
【００６８】
以下、ＧＰＳ制御処理部４０２において実行されるＧＰＳモジュールの制御、特に電力供給制御処理と、データ記録制御部４０３におけるデータ記録処理およびデータ表示制御部４０４におけるデータ表示処理の詳細について、順次説明する。
【００６９】
［（１）ＧＰＳモジュール制御処理］
まず、ＧＰＳ制御処理部４０２において実行されるＧＰＳモジュールの電力供給制御シーケンスについて図７に示すフローチャートを参照して説明する。このフローに従った処理制御は、撮像装置本体のメイン制御部（ホストＣＰＵ）の制御によって実行される処理である。まず、ユーザにより撮像装置に電源が投入されると、ステップＳ１０１において、ＧＰＳモジュールで稼動に必要な初期化設定が行われる。
【００７０】
ＧＰＳモジュールの初期化が終わると、ステップＳ１０２において、撮像装置本体のメイン制御部（ホストＣＰＵ）の制御によって撮像装置側のアプリケーションが、ＧＰＳモジュールに対して、ＧＰＳモジュールがメモリに保持している最新の航法メッセージの有効期限を問い合わせ、取得済み航法メッセージの期限が有効期限内のデータであるかすでに期限切れのデータであるかを判定する。
【００７１】
すでに期限切れである場合には、ステップＳ１２１に進み、ＧＰＳデバイスを撮影行為のタイミングに関わらずに駆動させ、航法メッセージの更新を実行させる。これ以降、撮像装置側のアプリケーションは、ユーザの撮影頻度を監視する。撮像装置本体で実行するアプリケーションは、予め定めた撮影頻度閾値を保持し、この閾値と、実際にユーザによって行なわれている撮影処理状況を比較する。例えば静止画撮影処理においては、ｎ枚／分、動画像撮影処理においては、ｎフレーム／分など、ユーザの撮影状況を監視し、撮影頻度データを取得して、取得した撮影頻度データと予め保持している閾値とを比較する。
【００７２】
閾値との比較によって、ユーザの撮影頻度が低いと判定した場合（ステップＳ１０３：Ｙｅｓ）には、ステップＳ１２２に進み、消費電力を抑えるためにＧＰＳデバイスを間欠的に駆動するように制御を実行する。すなわちＧＰＳデバイスに対して間欠的な電力供給を実行し、間欠的に航法メッセージの受信、位置算出を実行させる。
【００７３】
具体的には、先に、図５を参照して説明したように、撮像装置本体３１０のメイン制御部（ホストＣＰＵ）３１１において、ユーザの撮影頻度が予め定めた閾値未満の低い頻度での撮影が実行されていると判定した場合は、ＧＰＳデバイス３４０に対する継続的な電力供給を停止し、間欠的な電力供給を実行するように、フロントパネル制御部３２１に制御命令（コマンド）を出力する。フロントパネル制御部３２１は、ＧＰＳモジュール３３０の電源電圧コンバータ３３１を制御して、ＧＰＳデバイス３４０に対して間欠的に電力供給を実行する。この間欠的な電力供給期間は、ＧＰＳデバイス３４０において間欠的な航法メッセージの受信、および位置算出処理が実行される。
【００７４】
一方、閾値との比較によって、ユーザの撮影頻度が低くないと判定した場合（ステップＳ１０３：Ｎｏ）には、ステップＳ１０４に進み、撮影タイミングにできるだけ追従した精度高い位置情報を取得するために衛星捕捉を常に行うようＧＰＳ受信モジュールを制御する。すなわちＧＰＳデバイスに対して継続的な電力供給を実行し、継続的に航法メッセージの受信、位置算出を実行させる。
【００７５】
すなわち、撮像装置本体３１０のメイン制御部（ホストＣＰＵ）３１１は、ＧＰＳデバイス３４０に対する継続的な電力供給を実行するように、フロントパネル制御部３２１に制御命令（コマンド）を出力し、フロントパネル制御部３２１は、ＧＰＳモジュール３３０の電源電圧コンバータ３３１を制御して、ＧＰＳデバイス３４０に対して継続的に電力供給を実行する。この継続的な電力供給期間は、ＧＰＳデバイス３４０において継続的な航法メッセージの受信、および位置算出処理が実行される。
【００７６】
その後、ステップＳ１０５において、ユーザによる撮影行為が継続されているか（一時的に電源ＯＦＦされた状態も含む）否かを判定し、継続的に撮影が実行されている場合は、ステップＳ１０２以下の処理、すなわち、再度航法メッセージの有効期限のチェックから処理を繰り返し実行する。すなわち、撮影処理の実行期間は、撮像装置本体の制御部は、ステップＳ１０２において、定期的にＧＰＳデバイスにおいて取得済み航法メッセージの有効期限検証を行い、取得済み航法メッセージの有効期限が切れている場合には、ステップＳ１２１に進みＧＰＳデバイスに対して航法データの更新処理を実行させる。
【００７７】
ステップＳ１０５において、ユーザによる撮影行為が継続されていないと判定された場合、例えば、撮影機器の電源がＯＦＦにされ、ある一定の長時間電源が再度投入されない場合には、撮像装置本体およびＧＰＳモジュールに対する電力供給を停止して処理を終了する。
【００７８】
ＧＰＳデバイスにおける電力消費量について、図８、図９を参照して説明する。図８は、ＧＰＳデバイスに対する電源ＯＮを実行して、ＧＰＳ衛星捕捉を実行して、その後継続的に航法メッセージを取得した場合のＧＰＳデバイスにおける電力消費量の推移を示している。横軸に時間ｔ（ｓｅｃ）、縦軸にＧＰＳデバイス電力消費量に対応する電流量（ｍＡ）を示している。
【００７９】
時間ｔ０においてＧＰＳデバイスに電力供給が開始される。この時点（ｔ０）では、取得済みの航法メッセージが利用できない期限切れであったものと仮定する。この場合、ＧＰＳデバイスは、位置計測に必要となる複数のＧＰＳデバイスの捕捉処理を実行する。すなわち、複数のＧＰＳデバイスの探索を行い、探索の結果、発見したＧＰＳ衛星からの航法メッセージの受信を行なうことが必要となる。この処理には、ほぼ７０ｍＡの電流が消費される。
【００８０】
その後、時間（ｔ１）において、ＧＰＳ衛星の捕捉に成功し、有効期限内の航法メッセージがメモリに記録されると、その後は、新たなＧＰＳ衛星の探索を行う必要がなくなり、既に捕捉済みのＧＰＳ衛星を追尾するトラッキングモードに移行することができる。このトラッキングモードでは、有効期限内にある航法メッセージを適用した追尾が可能であり、消費電流は、約３０ｍＡに低減する。ＧＰＳデバイスにおいて継続的に航法メッセージの受信を行なう場合、継続的にＧＰＳデバイスに対して３０ｍＡの電流を供給することが必要となる。
【００８１】
図９は、間欠モードで、ＧＰＳデバイスに対して電力供給を実行する場合の例を示している。図９（１）は、撮像装置本体側のアプリケーションが、ＧＰＳモジュールからの位置情報の取得を行なうタイミングを示している。ＯＮ状態で、ＧＰＳモジュールからの位置情報の取得を行なう。（２）は、ＧＰＳデバイスの電源ＯＮ／ＯＦＦの状態遷移を示している。本例の場合間欠モードであり、ＯＮ状態とＯＦＦ状態が、予め定めた間欠モードの制御タイミングに従って切り替えられる。（３）は、ＧＰＳモジュールにおける電力消費量の推移を示している。
【００８２】
時間（ｔａ）においてＧＰＳデバイスに電力供給が開始される。この時点（ｔａ）では、図８の時間（ｔ０）と同様、取得済みの航法メッセージが利用できない期限切れであったものと仮定する。この場合、ＧＰＳデバイスは、位置計測に必要となる複数のＧＰＳデバイスの捕捉処理を実行する。すなわち、複数のＧＰＳデバイスの探索を行い、探索の結果、発見したＧＰＳ衛星からの航法メッセージの受信を行なうことが必要となる。この処理には、ほぼ７０ｍＡの電流が消費される。
【００８３】
その後、時間（ｔｂ）において、ＧＰＳ衛星の捕捉に成功し、有効期限内の航法メッセージがメモリに記録されると、その後は、新たなＧＰＳ衛星の探索を行う必要がなくなり、既に捕捉済みのＧＰＳ衛星を追尾するトラッキングモードに移行することができる。このトラッキングモードでは、有効期限内にある航法メッセージを適用した追尾が可能であり、消費電流は、約３０ｍＡに低減する。
【００８４】
ここで、時間（ｔｃ）において、撮像装置側のアプリケーションの監視処理によって、ユーザによる撮影頻度が予め設定された閾値未満であると判定された場合、ＧＰＳデバイスに対する電力供給は間欠モードに設定され、ＧＰＳデバイスに対する電力供給は、一旦停止される。その後、時間ｔｄにおいて、アプリケーションが、ＧＰＳデバイスに対する位置情報取得要求を実行するタイミングで、ＧＰＳデバイスに対する電力供給が再開され、この時点で、ＧＰＳデバイスの消費電力が発生する。
【００８５】
しかし、ＧＰＳデバイスに対する電力供給停止期間が、長期に至らない場合は、取得済みの航法メッセージが有効期限内に維持されることになり、新たなＧＰＳ衛星の探索を実行することなく、有効期限内の航法メッセージを適用したＧＰＳ衛星追尾が可能となる。すなわちトラッキングモードでの航法メッセージ受信が可能であり、低電力消費での処理が可能となる。この時間ｔｄ〜ｔｅの期間で、新たな航法メッセージの取得に成功し、航法メッセージをメモリに格納して、算出した位置情報をアプリケーションに提供すると、ＧＰＳデバイスへの電力供給は停止され、消費電力は０となる。このような間欠モードでの処理を実行することで、消費電力が低減され、また、ＧＰＳデバイスに対する電力供給停止期間が、長期に至らない場合は、取得済みの航法メッセージが有効期限内に維持されることになり、有効期限内の航法メッセージを適用したＧＰＳ衛星からの新たな航法メッセージの取得が短時間で実行可能となる。
【００８６】
なお、ＧＰＳデバイスに対する電力供給の再開タイミング［例えば図９の時間（ｔｄ）］は、撮像装置本体の制御部によって制御されるタイミングである。図９に示した例では、撮像装置本体がＧＰＳデバイスから位置情報を入力するタイミングに一致させて、ＧＰＳデバイスに対する電力供給の再開タイミングを設定した例を示しているが、この間欠制御におけるＧＰＳデバイスに対する電源ＯＮ／ＯＦＦの間隔設定は様々な設定が可能である。例えば、一定の予め定めた時間間隔でＯＮ／ＯＦＦを繰り返す設定としてもよい。また、航法メッセージの有効期限未満の時間をＧＰＳデバイスの電源ＯＦＦの最長時間とする設定としてもよい。このような設定とすることで、常に有効期限内の航法メッセージが利用可能な状態を維持することが可能となる。
【００８７】
なお、上述した実施例では、ＧＰＳモジュールを撮像装置に内蔵した構成例を説明したが、例えばＵＳＢ接続などによって、外付けされたＧＰＳシステムを適用する場合でも、電源が装置本体とＧＰＳモジュール双方に共用されている場合には適用可能であり、電力削減効果、位置情報取得処理の迅速化が実現される。
【００８８】
さらに、上述の実施例では、ＧＰＳモジュールと撮像装置本体の電源を共用する構成例を説明したが、電源をそれぞれ別に設定した構成であっても、ＧＰＳモジュールの電力消費を抑制する効果を実現可能であり、再起動速度の向上も図られ、位置情報取得処理の迅速化が実現される。
【００８９】
［（２）データ記録表示制御処理］
次に、図６に示すデータ記録制御部４０３におけるデータ記録処理、およびデータ表示制御部４０４におけるデータ表示処理の詳細について説明する。
【００９０】
先に、図６を参照して説明したように、撮影処理制御部４０１において撮影された画像データは、データ記録制御部４０３を介して撮影コンテンツ記憶部２１２に記録される。データ記録制御部４０３は、さらに、ＧＰＳ制御処理部４０２における制御の下でＧＰＳモジュール４１２が取得した位置情報、時間情報（タイムスタンプ）を入力し、これらのＧＰＳモジュール取得情報を、撮影画像データに対応する属性情報として設定し、撮影コンテンツ記憶部２１２に記録する。
【００９１】
また、データ表示制御部４０４は、撮影コンテンツ記憶部２１２に記録された撮影画像データおよび画像データに対応する属性情報を取得し、さらに、緯度経度情報に対応付けられたデータとしての地図、住所、撮影スポット情報などのデータを含む地図情報データベース２２２からの情報を取得して、ディスプレイ４２３に提示する表示情報を生成する。例えば、ユーザの旅行において撮影した複数の画像のサムネイルを地図上に示す軌跡情報に重畳させて提示するなどの処理を行なう。
【００９２】
本発明の撮像装置におけるデータ記録制御部４０３では、撮影画像データを撮影コンテンツ記憶部２１２に記録する際に、ＧＰＳモジュール４１２が取得した位置情報、時間情報（タイムスタンプ）を入力し、これらのＧＰＳモジュール取得情報を、撮影画像データに対応する属性情報として設定して記録する。
【００９３】
従来の一般的なＧＰＳ機能を持つカメラでは、先に［背景技術］の欄において説明したように、ＧＰＳデバイスで常に現在位置を測位し、取得位置情報等からなるＧＰＳログデータをメモリに記録する構成であり、ＧＰＳモジュールの取得した位置情報を撮影画像データの属性情報として記録するといった処理は行なわれていなかった。そのため、位置情報と撮影画像データとの対応付け処理は、データの表示処理に際して実行することが必要となり、データ表示処理の負荷を増加させる要因となっていた。
【００９４】
以下、ＧＰＳログデータと、撮影データに対応して記録される属性データとを記憶部に個別に記録する従来手法と、ＧＰＳログデータから取得される位置情報、時間情報などを撮影データに対応して記録される属性データとして設定して記憶部に記録する本発明の手法について、順次説明する。
【００９５】
まず、図１０を参照して従来手法について説明する。図１０を参照して、撮像装置の記憶部に個別に記録される従来のＧＰＳログデータと、撮影データに対応して記録される属性データ各々のデータ構成、さらに、これらの記録データを利用した表示処理、例えば撮影データについての撮影位置を解析し、地図上に撮影位置を識別可能として表示する処理などを実行する際に必要となるデータの対応付け処理について説明する。
【００９６】
図１０（ａ）は、ＧＰＳによって継続的に受信される航法データから取得される位置情報および時間情報からなるＧＰＳログデータであり、図１０（ｂ）はユーザの撮影処理によって撮影された画像に対応して記録される撮影データの属性情報であり、撮影時間情報が記録されている。なお、ＧＰＳログに記録される情報は、索引データとして設定される識別情報としての地点名（Ａ、Ｂ、Ｃ・・・）に対応付けて、緯度、経度、時刻が記録される。ＧＰＳ受信モジュールは地点Ａから順に連続測位して情報取得を繰り返している。
【００９７】
一方、撮影機器本体ではユーザの撮影行為により撮影コンテンツ（静止画、動画）が記憶部にファイル保存される。この保存処理の際に、撮影コンテンツには撮影時刻情報としてのタイムスタンプが記録される。図１０（ｂ）に示す例ではユーザが撮影画像の識別情報としての地点名（１、２・・・）に対応付けて、撮影日時情報が記録される。
【００９８】
これらの（ａ）ＧＰＳログと、（ｂ）撮影データ属性情報とが、個別の独立したデータファイルとして記憶部に保持される。例えば撮影データ（サムネイル）を地図上に、撮影位置に応じて表示して軌跡情報をユーザに提示する処理を行なう場合、ユーザは（ａ）ＧＰＳログと、（ｂ）撮影データ属性情報と、撮影画像データとをＰＣへ転送して、専用のＰＣアプリケーションソフトウェアを利用して、これらの転送データに基づくデータ処理を実行して表示情報を生成することになる。
【００９９】
まず、ＰＣアプリケーションは、（ｂ）撮影データ属性情報に含まれる各撮影画像の撮影位置を求める処理を行なう。この処理は、（ｂ）撮影データ属性情報中の撮影時刻情報と、（ａ）ＧＰＳログに含まれる時刻情報とを対応付けて行なわれる。例えば、（ｂ）撮影データ属性情報に含まれる［Ｎｏ．１、地点１］のデータは、時刻［Ｔ１］に撮影されているデータである。Ｔ１が（ａ）ＧＰＳログに含まれるログデータ中の時刻Ｔａ〜Ｔｂ内にあるとする。この場合、地点Ａ
【０１００】
この場合、時刻Ｔ１の撮影地点１は、ＧＰＳログに含まれるログデータ中の時刻Ｔａの位置（地点ａ）と時刻Ｔｂの位置（地点ｂ）とから算出する。いわゆる線形補間処理によって、時刻Ｔ１の撮影地点１を、２つのＧＰＳログ、すなちわ、地点Ａの位置情報（Ｘａ，Ｙａ）、および地点Ｂの位置情報（Ｘｂ，Ｙｂ）から算出する。時刻Ｔ１に行なわれた撮影の撮影地点１の緯度、経度を（Ｘ１，Ｙ１）は、以下の算出式で求められる。
α＝（Ｔ１−Ｔａ）／（Ｔｂ−Ｔａ）
Ｘ１＝（Ｘｂ−Ｘａ）／α＋Ｘａ
Ｙ１＝（Ｙｂ−Ｙａ）／α＋Ｙａ
上記式は、正確な位置が判明しているＧＰＳログに含まれる時刻Ｔａの位置（地点Ａ）と時刻Ｔｂの位置（地点Ｂ）とを適用して、時刻Ｔａ〜Ｔｂにある時刻Ｔ１の位置（地点１の緯度、経度（Ｘ１，Ｙ１））を線形補間で算出する式である。
【０１０１】
同様に、撮影データ属性情報に含まれる時刻Ｔ２の撮影地点２は、２つのＧＰＳログ、すなちわ、地点Ｄの位置情報（Ｘｄ，Ｙｄ）、および地点Ｅの位置情報（Ｘｅ，Ｙｅ）から算出する。時刻Ｔ２に行なわれた撮影の撮影地点２の緯度、経度を（Ｘ２，Ｙ２）は、以下の算出式で求められる。
β＝（Ｔ２−Ｔｄ）／（Ｔｅ−Ｔｄ）
Ｘ２＝（Ｘｅ−Ｘｄ）／β＋Ｘｄ
Ｙ２＝（Ｙｅ−Ｙｄ）／β＋Ｙｄ
上記式は、正確な位置が判明しているＧＰＳログに含まれる時刻Ｔｄの位置（地点Ｄ）と時刻Ｔｅの位置（地点Ｅ）とを適用して、時刻Ｔｄ〜Ｔｅにある時刻Ｔ２の位置（地点２の緯度、経度（Ｘ２，Ｙ２））を線形補間で算出する式である。
【０１０２】
このようにして算出した各画像の撮影位置情報に基づいて、図１０（ｃ）に示すような表示情報が生成されてディスプレイに表示される。図１０に示す表示情報は、ユーザの移動軌跡を示すデータであり、ＧＰＳモジュールによる測位位置と、撮影地点の位置情報を地図上に提示し、かつ、時刻情報に基づいて、進路を求めて、矢印によって表示した例である。
【０１０３】
この表示処理は、まず、上述の処理によって求められた画像データの撮影位置に対応する地図情報を地図情報データベースから取得し、さらに、ＧＰＳログに含まれる地点Ａ，Ｂ，Ｃ・・の位置を示すアイコン（黒丸）を地図上に示し、さらに、上記処理によって算出された、位置（地点１の緯度、経度（Ｘ１，Ｙ１））位置、および（地点２の緯度、経度（Ｘ２，Ｙ２））の各位置を示すアイコン（黒四角）を地図上に表示し、表示された各アイコンを時刻情報に従って結ぶ矢印を表示する処理を行なうことでユーザに提示される。
【０１０４】
このように、ＧＰＳログデータと、撮影画像データに対応する属性情報とが個別の記録データとして管理されている場合、移動軌跡情報を表示する場合、ＧＰＳログデータと、撮影画像データに対応する属性情報とを対応付ける処理を行なうことが必要となり、非効率的でかつ負荷が重い処理となってしまう。
【０１０５】
次に、図１１以下を参照して、本発明の撮像装置におけるデータ記録および表示制御処理について説明する。すなわち、図６に示すデータ記録制御部４０３におけるデータ記録処理、およびデータ表示制御部４０４におけるデータ表示処理の詳細について説明する。
【０１０６】
本発明の撮像装置では、図６に示す撮影処理制御部４０１において撮影された画像データは、データ記録制御部４０３を介して撮影コンテンツ記憶部２１２に記録されるが、データ記録制御部４０３は、この記録処理に際してＧＰＳモジュール４１２が取得した位置情報、時間情報を入力し、これらのＧＰＳモジュール取得情報を、撮影画像データに対応する属性情報として設定し、撮影コンテンツ記憶部２１２に記録する。
【０１０７】
図１１（Ａ）に図６に示すデータ記録制御部４０３が生成して、撮影コンテンツ記憶部２１２に記録する撮影データ属性情報のデータ構成を示す。撮影機器本体ではユーザの撮影行為により撮影コンテンツ（静止画、動画）が記憶部にファイル保存される。この保存処理の際に、撮影コンテンツには撮影時刻情報としてのタイムスタンプが記録される。さらに、データ記録制御部４０３は、ＧＰＳモジュール４１２が取得した位置情報、時間情報を入力し、撮影コンテンツ（静止画、動画）に対応する属性情報としてこれらを併せて記録する。なお、時刻情報は、撮影機器本体で設定するタイムスタンプ、あるいはＧＰＳによって取得される時刻情報のいずれかを選択して記録する。
【０１０８】
図６に示すデータ表示制御部４０４は、撮影コンテンツ記憶部２１２に記録された情報、すなわち、図１１（Ａ）に示す撮影データ属性情報を適用して、例えば図１１（Ｂ）に示す表示情報を生成し、ディスプレイに提示することができる。この表示情報の生成に際しては、先に図１０を参照して説明したようなＧＰＳロクデータとの対応付け処理などは不要であり、簡易な処理によって表示データの生成が可能となる。
【０１０９】
すなわち、図１１（Ａ）に示す撮影データ属性情報を取得し、撮影データ属性情報に含まれる緯度経度情報に対応付けられたデータとしての地図情報などのデータを地図情報データベース２２２から取得して、ディスプレイに提示し、図１１（Ａ）に示す撮影データ属性情報の撮影ポイントをアイコン（黒四角）出て意地し、さらに、図１１（Ａ）に示す撮影データ属性情報に含まれる時刻情報に従った矢印を表示する。
【０１１０】
このように、データ表示制御部４０４の実行する処理は、図１１（Ａ）に示す撮影データ属性情報に含まれる情報のみを適用した処理であり、先に図１０を参照して説明した処理に比較して格段に軽い処理となる。従って、ＰＣなどにデータ出力を行なってＰＣ側のアプリケーションにおいて表示データを生成するなどの処理を行なうことなく、撮像装置側の制御部（メインＣＰＵ）において確実にかつ短時間で処理可能となる。
【０１１１】
次に、図１２、図１３を参照して、本発明の撮像装置において実行されるデータ記録処理と、データ表示処理の処理シーケンスについて説明する。まず、図１２に示すフローチャートを参照して、本発明の撮像装置において実行されるデータ記録処理シーケンスについて説明する。
【０１１２】
ステップＳ２０１において、ユーザによって撮影処理が実行される。撮影処理制御は、図６に示す撮影処理制御部４０１の制御によって実行される。ステップＳ１０２においてＧＰＳモジュールにおける位置情報の取得処理が実行される。ＧＰＳモジュールにおける位置情報の取得処理は、図６に示すＧＰＳ制御処理部４０２の処理制御下において実行され、先に説明したように、ユーザの撮影頻度に応じてＧＰＳデバイスへの電力供給が制御され、省電力化された処理として位置情報の取得処理が行なわれる。
【０１１３】
ステップＳ２０３において、図６に示すデータ記録制御部４０３は、撮影データおよびＧＰＳモジュールから情報入力を実行し、撮影画像データに対応する属性情報として、ＧＰＳモジュールから入力する位置情報、時間情報を設定して、撮影画像データ対応の属性情報として記憶部に記録する処理を実行する。すなわち、図１１（Ａ）に示す属性情報を生成して記憶部に記録する。
【０１１４】
次に、図１３を参照して、本発明の撮像装置において実行されるデータ表示処理の処理シーケンスについて説明する。この処理は、図６に示すデータ表示制御部において実行される処理である。まず、ステップＳ３０１において、図６に示す撮影コンテンツ記憶部２１２に記録された撮影画像データの属性情報を取得する。このデータは、図１１（Ａ）に示すデータである。属性情報中には、各撮影画像に対応付けられた位置情報、時間情報が含まれる。
【０１１５】
次に、ステップＳ３０２において、撮影画像データの属性情報に含まれる位置情報に基づいて地図データベースから対応位置の地図を取得してディスプレイに表示する。さらに、ステップＳ３０３において、撮影画像データの属性情報に含まれる位置情報、時間情報に基づいて、表示情報（軌跡情報など）を生成して出力する。例えば図１１（Ｂ）に示す表示情報が出力される。
【０１１６】
なお、図１２に示すフローを参照して説明したデータ記録処理と、図１３に示すフローを参照して説明したデータ表示処理は、シーケンシャルあるいは並列に実行することが可能である。すなわち、撮影動作と測位情報の取得、およびこれらの情報の記録処理、記録データを適用した表示情報の生成処理は、シーケンシャルにあるいは並列処理として実行可能である。
【０１１７】
さらに、本発明の撮像装置においては、図１１（Ａ）に示した撮影データ属性情報を適用することで、さらに複雑な表示データの生成を効率的に実行することか能となる。表示データの生成例について、図１４を参照して説明する。
【０１１８】
図１４に示す例は、複数の異なる撮影コンテンツファイル、例えば、各々時間的に異なる撮影コンテンツファイルがある場合、これらのファイルをマージし、必要に応じてソート処理を実行し、複数の撮影コンテンツに基づいて例えばサムネイルおよび軌跡情報をまとめて提示した表示処理例である。
【０１１９】
図１４（１）はＡさんが２００４年７月にフランス旅行を実施した際に撮影したサムネイルを地図上にプロットしたデータであり、図１４（２）は、その８ヵ月後（２００５年３月）にやや異なる経路にてフランス旅行を実施した際の撮影コンテンツプロット結果である。これらの表示データは、図１１（Ａ）に示した撮影データ属性情報を適用することで、生成することが可能である。すなわち、図１１（Ｂ）に示す軌跡情報の撮影ポイントを示すアイコンの代わりに撮影データのサムネイルを表示することで実現できる。
【０１２０】
さらに、図１４（３）の表示データは、図１４（１）の表示データに対応する撮影画像データファイルおよび１４（２）の表示データに対応する撮影画像データファイルの異なるデータファイルに含まれる属性情報を適用することで生成することができる。例えば、図１４（１）の表示データに対応する撮影画像データファイルには、その画像に対応する属性情報、すなわち、図１１（Ａ）に示した緯度、経度、時刻情報を含む撮影データ属性情報が含まれ、また、図１４（２）の表示データに対応する撮影画像データファイルにも、その画像に対応する緯度、経度、時刻情報を含む撮影データ属性情報が含まれている。
【０１２１】
図６に示すデータ表示制御部４０４は、これらの２つの撮影データ属性情報をマージして、さらに必要に応じてソート処理を実行することで、複数の画像ファイルに対応する属性情報を併せた例えば時系列の属性データを生成することが可能であり、このようなマージした属性データに基づいて、先に、図１１、あるいは図１３を参照して説明した表示情報生成処理を実行することで、図１４（３）に示すような表示データ、すなわち複数の異なるコンテンツデータファイルを適用した１つの表示データを生成することが可能となる。
【０１２２】
図１４（３）に示す表示字データは、図１４（１），（２）これら２つのデータを元に仮想的に作り出したものである。この図１４（３）は、Ａさんが実施したフランス旅行すべてのサマリである。このように、本発明の撮像装置では、撮影データに対応する属性情報としてＧＰＳによって取得した位置情報を直接記録する構成としたので、属性情報を取得するのみで各画像に対応する撮影位置を効率的に求めることが可能となり、様々な表示データを容易に効率的に生成して提示することが可能となる。
【０１２３】
なお、撮像装置においてこのような表示データの生成が容易に実現されるので、例えば、ＰＣ若しくは他の撮影機器で保有している同形式の撮影コンテンツ情報をユーザ自身が保有している撮影機器にロードして、ロードデータに基づいて表示データを生成、出力することも可能である。
【０１２４】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１２５】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１２６】
例えば、プログラムは記録媒体としてのハードディスクやＲＯＭ（Ｒｅａｄ  Ｏｎｌｙ  Ｍｅｍｏｒｙ）に予め記録しておくことができる。あるいは、プログラムはフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１２７】
なお、プログラムは、上述したようなリムーバブル記録媒体からコンピュータにインストールする他、ダウンロードサイトから、コンピュータに無線転送したり、ＬＡＮ（Ｌｏｃａｌ  Ａｒｅａ  Ｎｅｔｗｏｒｋ）、インターネットといったネットワークを介して、コンピュータに有線で転送し、コンピュータでは、そのようにして転送されてくるプログラムを受信し、内蔵するハードディスク等の記録媒体にインストールすることができる。
【０１２８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１２９】
以上、説明したように、本発明の一実施例構成によれば、ＧＰＳ（Ｇｒｏｂａｌ  Ｐｏｓｉｔｉｏｎｉｎｇ  Ｓｙｓｔｅｍ）デバイスを有する例えばビデオカメラなどの撮像装置において、ＧＰＳデバイスにおいて取得された位置情報を、撮像部において撮影された画像データに対応する属性情報として設定して記憶部に格納する処理を実行する構成としたので、撮影画像データの撮影位置情報を示す表示情報を生成する際に、ＧＰＳログとの対応付け処理を実行する必要がなくなり、画像データに対応する属性情報から直接取得することが可能となり、負荷の軽い効率的な表示情報生成処理が可能となる。
【０１３０】
さらに、本発明の一実施例構成によれば、撮影頻度を監視して単位時間あたりの使用頻度を算出し、使用頻度が予め定めた閾値未満である場合、ＧＰＳデバイスに対する間欠的な電力供給を実行する構成としたので、ＧＰＳデバイスにおける無駄な電力消費が防止され、バッテリの消費が抑えられる。また、ＧＰＳデバイスの間欠的な駆動によって、ＧＰＳ衛星からの受信データである航法メッセージを有効期限内の航法メッセージに維持することが可能となり、新たなＧＰＳ衛星探索を行うことなく航法メッセージを利用した短時間での位置算出が可能となる。
【図面の簡単な説明】
【０１３１】
【図１】本発明の一実施例に係る撮像装置の実行する処理の概要について説明する図である。
【図２】本発明の一実施例に係る撮像装置において実行するデータ処理例を説明する図である。
【図３】本発明の一実施例に係る撮像装置において実行するデータ処理例を説明する図である。
【図４】本発明の一実施例に係る撮像装置おいて実行するデータ処理例を説明する図である。
【図５】本発明の一実施例に係る撮像装置の構成について説明する図である。
【図６】本発明の一実施例に係る撮像装置の実行する各制御処理について説明する図である。
【図７】本発明の一実施例に係る撮像装置において実行されるＧＰＳモジュールの電力供給制御シーケンスについて説明するフローチャートを示す図である。
【図８】ＧＰＳデバイスにおける電力消費量について説明する図である。
【図９】ＧＰＳデバイスにおける電力消費量について説明する図である。
【図１０】一般的なＧＰＳ機能を持つ撮像装置の実行するデータ記録および表示データ生成処理について説明する図である。
【図１１】本発明の一実施例に係る撮像装置において実行されるデータ記録および表示データ生成処理について説明する図である。
【図１２】本発明の一実施例に係る撮像装置において実行されるデータ記録処理シーケンスについて説明するフローチャートを示す図である。
【図１３】本発明の一実施例に係る撮像装置において実行されるデータ表示処理シーケンスについて説明するフローチャートを示す図である。
【図１４】本発明の一実施例に係る撮像装置において実行されるデータ表示処理例について説明する図である。
【符号の説明】
【０１３２】
１１０  ビデオカメラ
１１１  ＧＰＳモジュール
１２０  スチルカメラ
１２１  ＧＰＳモジュール
１３０  ＧＰＳ衛星
２０１  画像データ
２０２  位置情報
２１１  データ記録制御部
２１２  撮影コンテンツ記憶部
２２１  データ表示制御部
２２２  地図情報データベース
２２３  ＧＰＳモジュール
３１０  撮像装置本体
３１１  メイン制御部（ホストＣＰＵ）
３１２  データ記憶部（フラッシュメモリ）
３１３  表示部（モニタ）
３１４  メモリ（ＳＤＲＡＭ）
３２０  電源制御部３２０
３２１  フロントバネル制御部
３２２  入力部
３２３  出力部
３３０  ＧＰＳモジュール
３３１  電源電圧コンバータ
３４０  ＧＰＳデバイス
３４１  データ処理部
３４２  メモリ（ＳＲＡＭ）
３５０  電源（バッテリ）
４０１  撮影処理制御部
４０２  データ記録制御部
４０３  データ表示制御部
４１１  電源制御部
４１２  ＧＰＳモジュール
４２３  ディスプレイ
【図１】
2007158887.tif 000003
【図２】
2007158887.tif 000004
【図３】
2007158887.tif 000005
【図４】
2007158887.tif 000006
【図５】
2007158887.tif 000007
【図６】
2007158887.tif 000008
【図７】
2007158887.tif 000009
【図８】
2007158887.tif 000010
【図９】
2007158887.tif 000011
【図１０】
2007158887.tif 000012
【図１１】
2007158887.tif 000013
【図１２】
2007158887.tif 000014
【図１３】
2007158887.tif 000015
【図１４】
2007158887.tif 000016